(57)【特許請求の範囲】
【請求項１】
タンクの内部に貯溜された水を、前記タンクの底部に設けられた排水口より便器に向けて排出させる排出装置であって、
前記排水口を開閉するフラッパ弁と、
前記フラッパ弁に設けられ、内部に空気を保持する空気室と、
上側への引上げ力で開弁し、前記空気室の空気を抜いて前記タンク内の水を流入させる空気抜き弁と、
前記タンクの内部に設けられた操作手段と、
前記操作手段に取り付けられ、前記操作手段の一方向の回転により、前記空気抜き弁を閉弁した状態で前記フラッパ弁を引き上げて開弁させ、他方向の回転により前記空気抜き弁を開弁させるとともに前記空気抜き弁を介して前記フラッパ弁を引き上げて開弁させる引上げ材と、
前記引上げ材に取り付けられたフロートと、
を備え、
前記フラッパ弁は、上方に突出するとともに前記空気抜き弁を収容する筒部を有し、
前記筒部には、前記引上げ材が挿通された状態で前記筒部の上端部に設けられた開口を覆うカバーが着脱可能に取り付けられ、
前記カバーは、側方へ向けて突出する突出部を有し、
前記筒部は、上端部の前記開口から下方に延び前記突出部を挿入可能な上下方向の第１スリットと、前記第１スリットと接続され周方向に延びた第２スリットと、を有し、前記第２スリットに前記突出部が挿入された排出装置。
【請求項２】
前記突出部、前記第１スリット及び前記第２スリットは、複数設けられた請求項１に記載の排出装置。
【請求項３】
前記複数の突出部は、前記カバーの周方向に沿って所定のピッチをもって配置された請求項２に記載の排出装置。
【請求項４】
請求項１乃至３の何れか１項に記載の排出装置と、前記タンクと、を備えたタンク装置。
【請求項５】
請求項４に記載のタンク装置を備えた水洗大便器。
【請求項６】
タンクの内部に貯溜された水を、前記タンクの底部に設けられた排水口より便器に向けて排出させる排出装置であって、
前記排水口を開閉するフラッパ弁と、
前記フラッパ弁に設けられ、内部に空気を保持する空気室と、
上側への引上げ力で開弁し、前記空気室の空気を抜いて前記タンク内の水を流入させる空気抜き弁と、
前記タンクの内部に設けられた操作手段と、
前記操作手段に取り付けられ、前記操作手段の一方向の回転により、前記空気抜き弁を閉弁した状態で前記フラッパ弁を引き上げて開弁させ、他方向の回転により前記空気抜き弁を開弁させるとともに前記空気抜き弁を介して前記フラッパ弁を引き上げて開弁させる引上げ材と、
前記引上げ材に取り付けられたフロートと、
を備え、
前記フラッパ弁は、上方に突出するとともに前記空気抜き弁を収容する筒部を有し、
前記筒部には、前記引上げ材が挿通された状態で前記筒部の上端部に設けられた開口を覆うカバーが着脱可能に取り付けられ、
前記筒部は、側方へ向けて突出する突出部を有し、
前記カバーは、下端部の開口から上方に延び前記突出部を挿入可能な上下方向の第１スリットと、前記第１スリットと接続され周方向に延びた第２スリットと、を有し、前記第２スリットに前記突出部が挿入された排出装置。
【発明の詳細な説明】
【技術分野】
【０００１】
本発明は、タンクの内部に貯溜された水を、タンクの底部に設けられた排水口より便器に向けて排出させる排出装置、この排出装置を備えたタンク装置、及び、このタンク装置を備えた水洗大便器に関する。
【背景技術】
【０００２】
排出装置として、フラッパ弁に空気室を設け、空気抜き弁により開閉することで、必要なフロートが１つで済み、タンク内でフロートの占めるスペースを少なくし得るとともに、操作手段への操作量の大小に影響されないで意図した大洗浄と小洗浄とを安定して行い得るものが知られている。この種の排出装置は、タンク内に設けた操作手段の一方向の回転によりフラッパ弁を直接引き上げて開弁させ、他方向の回転により空気抜き弁を介してフラッパ弁を引き上げて開弁させる。さらに、フラッパ弁は上方に突出した筒壁を有し、この筒壁内に空気抜き弁を収容した状態で筒壁上端の開口を閉止するガイド部が取り付けられている。
【０００３】
また、上述した排出装置として、ガイド部には係止爪が設けられ、この係止爪に対応する係止孔が筒壁には設けられており、ガイド部は下側を筒壁に内嵌状態に嵌め込み、そして係止爪を係止孔に係止させることで、筒壁に取り付けられているものが知られている（例えば、特許文献１参照）。
【先行技術文献】
【特許文献】
【０００４】
【特許文献１】特開２０１２−１６２９２４号公報
【発明の概要】
【発明が解決しようとする課題】
【０００５】
上述した従来の排出装置においては、空気抜き弁のシール部材は、例えば磨耗による劣化等によりメンテナンスや交換が必要となる可能性がある。そのメンテナンスの際等には、係止爪を内側へ向けて変形させることで係止孔から取り外す必要があるが、係止爪の材質によっては、係止爪が係止孔から抜け出る状態に変形させることができず、取り外せないことが考えられる。また、係止爪が係止孔から抜け出る状態に変形することができる場合も、変形を繰り返すことで係止爪の劣化や破損、及び、それに伴う排出装置の機能不全が生じる懸念がある。
【０００６】
本発明は、上述した問題を解決するためになされたものであり、空気抜き弁を容易に取り外すことが可能な排出装置を提供することを目的とする。
【課題を解決するための手段】
【０００７】
本発明は、タンクの内部に貯溜された水を、前記タンクの底部に設けられた排水口より便器に向けて排出させる排出装置であって、前記排水口を開閉するフラッパ弁と、前記フラッパ弁に設けられ、内部に空気を保持する空気室と、上側への引上げ力で開弁し、前記空気室の空気を抜いて前記タンク内の水を流入させる空気抜き弁と、前記タンクの内部に設けられた操作手段と、前記操作手段に取り付けられ、前記操作手段の一方向の回転により、前記空気抜き弁を閉弁した状態で前記フラッパ弁を引き上げて開弁させ、他方向の回転により前記空気抜き弁を開弁させるとともに前記空気抜き弁を介して前記フラッパ弁を引き上げて開弁させる引上げ材と、前記引上げ材に取り付けられたフロートと、を備え、前記フラッパ弁は、上方に突出するとともに前記空気抜き弁を収容する筒部を有し、前記筒部には、前記引上げ材が挿通された状態で前記筒部の上端部に設けられた開口を覆うカバーが着脱可能に取り付けられ、前記カバーは、側方へ向けて突出する突出部を有し、前記筒部は、上端部の前記開口から下方に延び前記突出部を挿入可能な上下方向の第１スリットと、前記第１スリットと接続され周方向に延びた第２スリットと、を有し、前記第２スリットに前記突出部が挿入された排出装置である。
【０００８】
このように構成された本発明においては、カバーは、側方へ向けて突出する突出部を有し、筒部は、上端部の開口から下方に延び前記突出部を挿入可能な上下方向の第１スリットと、第１スリットと接続され周方向に延びた第２スリットと、を有し、第２スリットに突出部が挿入される。そのため、カバーに多大な変形を生じることなく容易に取り外すことができ、容易に空気抜き弁のメンテナンスや交換を行うことができる。
【０００９】
本発明は、さらに、前記突出部、前記第１スリット及び前記第２スリットは、複数設けられた構成としてもよい。
【００１０】
このように構成された本発明においては、カバーを取り外す必要がない際、より確実にカバーの取り付けられた状態を保持することができる。
【００１１】
本発明は、さらに、前記複数の突出部は、前記カバーの周方向に沿って所定のピッチをもって配置された構成としてもよい。
【００１２】
このように構成された本発明においては、カバーを取り外す必要がない際、より確実にカバーの取り付けられた状態を保持することができる。
【００１３】
また、本発明は、前記排出装置と、前記タンクと、を備えたタンク装置として構成してもよい。
【００１４】
このように構成された本発明においては、カバーに多大な変形を生じることなく容易に取り外すことができ、容易に空気抜き弁のメンテナンスや交換を行うことができる排出装置を備えたタンク装置を提供することができる。
【００１５】
また、本発明は、前記タンク装置を備えた水洗大便器として構成してもよい。
【００１６】
このように構成された本発明においては、カバーに多大な変形を生じることなく容易に取り外すことができ、容易に空気抜き弁のメンテナンスや交換を行うことができる排出装置を有したタンク装置を備えた水洗大便器を提供することができる。
【００１７】
また、本発明は、タンクの内部に貯溜された水を、前記タンクの底部に設けられた排水口より便器に向けて排出させる排出装置であって、前記排水口を開閉するフラッパ弁と、前記フラッパ弁に設けられ、内部に空気を保持する空気室と、上側への引上げ力で開弁し、前記空気室の空気を抜いて前記タンク内の水を流入させる空気抜き弁と、前記タンクの内部に設けられた操作手段と、前記操作手段に取り付けられ、前記操作手段の一方向の回転により、前記空気抜き弁を閉弁した状態で前記フラッパ弁を引き上げて開弁させ、他方向の回転により前記空気抜き弁を開弁させるとともに前記空気抜き弁を介して前記フラッパ弁を引き上げて開弁させる引上げ材と、前記引上げ材に取り付けられたフロートと、を備え、前記フラッパ弁は、上方に突出するとともに前記空気抜き弁を収容する筒部を有し、前記筒部には、前記引上げ材が挿通された状態で前記筒部の上端部に設けられた開口を覆うカバーが着脱可能に取り付けられ、前記筒部は、側方へ向けて突出する突出部を有し、前記カバーは、下端部の開口から上方に延び前記突出部を挿入可能な上下方向の第１スリットと、前記第１スリットと接続され周方向に延びた第２スリットと、を有し、前記第２スリットに前記突出部が挿入された排出装置である。
【００１８】
このように構成された本発明においては、筒部は、側方へ向けて突出する突出部を有し、カバーは、上端部の開口から下方に延び前記突出部を挿入可能な上下方向の第１スリットと、第１スリットと接続され周方向に延びた第２スリットと、を有し、第２スリットに突出部が挿入される。そのため、カバーに多大な変形を生じることなく容易に取り外すことができ、容易に空気抜き弁のメンテナンスや交換を行うことができる。
【発明の効果】
【００１９】
本発明の排出装置によれば、空気抜き弁を容易に取り外すことが可能となる。
【図面の簡単な説明】
【００２０】
【図１】本発明の一実施形態による排出装置が設けられたタンクの内部を示す断面図。
【図２】本発明の一実施形態による排出装置の一部を示す分解図。
【図３】図２の一部を示す斜視図。
【図４】図２のＩＶ−ＩＶ断面図。
【図５】本発明の一実施形態による排出装置が設けられたタンク装置、及び、このタンク装置を備えた水洗大便器を示す部分側面断面図。
【図６】本発明の一実施形態による排出装置の変形例を示す分解斜視図。
【発明を実施するための形態】
【００２１】
以下、図面を参照して本発明の一実施形態による排出装置について説明する。
まず、図１〜図３により本発明の一実施形態による排出装置の構成について説明する。図１は本発明の一実施形態による排出装置が設けられたタンクの内部を示す断面図であり、図２は本発明の一実施形態による排出装置の一部を示す分解図であり、図３は図２の一部を示す斜視図である。
図１に示すように、本発明の一実施形態に係る排出装置１は、タンク１０の内部に貯溜された水を、タンク１０の底部に設けられた排水口２０より排出させるものであり、排水口２０を開閉するフラッパ弁２２を備える。また、タンク１０内部には排水口２０に連通したオーバーフロー管２４が立設され、タンク１０内に延びる略Ｌ字状のレバーアーム９２（操作手段）が設けられる。
【００２２】
図２及び図３に示すように、フラッパ弁２２は、円板状の弁部２８と、弁部２８から延びた一対のアーム３０と、弁部２８から上方に突出した円筒状の筒壁５６（筒部）を有している。弁部２８は、閉弁時に排水口２０をシールするシール部材２６が取り付けられる。アーム３０は、フック状に形成され、アーム３０にてフラッパ弁２２はオーバーフロー管２４の下部に上下方向に回動可能に軸支され、上下方向に回動することによって排水口２０の開閉動作を行う。
【００２３】
また、フラッパ弁２２の弁部２８の下部には、内部に空気を保持する空気室５０を形成するための空気チャンバ４８が設けられる。空気チャンバ４８は上端よりも下端の断面積が小さい先細り形状、即ち、円筒に中空円錐を接続した形状に形成され、下端には開口が設けられる。
【００２４】
筒壁５６内部の下端には、開口５７が設けられ、開口５７により空気室５０と連通している。上端に設けられた開口５５には、開口５５を覆うカバー部材５９（カバー）が着脱自在に挿入される。また、筒壁５６内部には、開口５７を開閉する空気抜き弁５８が上下方向に摺動可能に収容される。さらに筒壁５６には、その内外を連通させる水流入口７２が貫設されている。
【００２５】
空気抜き弁５８は、カバー部材５９と一体に設けられ、カバー部材５９が開口５５に挿入された状態にて、上側への引上げ力で開弁し、空気室５０の空気を抜いてタンク１０内の水を空気室５０へと流入させるものであり、円板状の弁部６４と、コイルばね６０とを有する。弁部６４は、閉弁時に開口５７をシールするシール部材６２が取り付けられる。コイルばね６０は、シール部材６２が開口５７をシールする方向、即ち、空気抜き弁５８が閉弁する方向に空気抜き弁５８を付勢する。
【００２６】
図１に示すように、レバーアーム９２は、タンク１０に設けられ、使用者により操作される洗浄ハンドル９４に基端部が連結され、洗浄ハンドル９４への操作に伴って回動する。レバーアーム９２の先端部には、大洗浄用の玉鎖３６（引き上げ材）及び小洗浄用の玉鎖７０（引き上げ材）がそれぞれの基端部が取り付けられている。大洗浄用の玉鎖３６の先端部は、弁部２８に取り付けられ、小洗浄用の玉鎖７０の先端部は、空気抜き弁５８に取り付けられている。また、大洗浄用の玉鎖３６及び小洗浄用の玉鎖７０は、レバーアーム９２の一方向の回転により、大洗浄用の玉鎖３６が上方に引き上げられ、他方向の回転により小洗浄用の玉鎖７０が上方に引き上げられるように構成されている。
【００２７】
なお、空気抜き弁５８をコイルばね６０の付勢力に抗して上向きに引き上げて開弁させるのに必要な力は、閉弁状態のフラッパ弁２２をタンク１０内の洗浄水の圧力に抗して引き上げ、開弁させるのに必要な力よりも小さく設定してある。そのため、小洗浄用の玉鎖７０が引き上げられると、空気抜き弁５８が引き上げられて開弁し、そして空気抜き弁５８の開弁を介してフラッパ弁２２が引き上げられる。
【００２８】
また、図１に示すように、小洗浄用の玉鎖７０には、フロート８４と、ストッパ９０とが取り付けられている。フロート８４は、内部に空気を保持しており、中心部には挿通孔（図示せず）を備える。挿通孔（図示せず）に小洗浄用の玉鎖７０を挿通させた状態で、上下方向に移動可能に取り付けられている。ストッパ９０は、位置を上下に調節可能な板状の部材であり、小洗浄用の玉鎖７０が挿通される。
【００２９】
このような構成により、レバーアーム９２の一方向の回転により、大洗浄用の玉鎖３６は、空気抜き弁５８を閉弁した状態でフラッパ弁２２を引き上げて開弁させ、レバーアーム９２の他方向の回転により空気抜き弁５８を開弁させるとともに空気抜き弁５８を介してフラッパ弁２２を引き上げて開弁させる。これにより、空気抜き弁５８が閉弁状態にあり、空気室５０に空気が溜められた状態の下では、フラッパ弁２２は開弁及び閉弁によって大洗浄、即ち便器に向けて洗浄水を比較的多く排出する大洗浄のための動作を行う。一方、空気抜き弁５８を引き上げて開弁させると、水流入口７２より筒壁５６内部に洗浄水が流入し、更に開口５７を通じて空気室５０に入り込み、空気室５０を水で埋めることで、フラッパ弁２２は小洗浄、即ち便器に向けて洗浄水を大洗浄よりも少量排出する小洗浄のための動作を行う。
【００３０】
具体的には、大洗浄のための動作においては、洗浄ハンドル９４を大洗浄側に回転させると、大洗浄用の玉鎖３６が一定の距離だけ引き上げられ、フラッパ弁２２が玉鎖３６によって直接持ち上げられて開弁する。開弁したフラッパ弁２２はストッパ（図示せず）によりさらなる回転が阻止され、水中に没した状態のフロート８４による浮力と、空気チャンバ４８による浮力とによって、開弁状態が維持される。開弁状態が維持されることで、タンク１０内の洗浄水が排水口２０から排出される。
タンク１０内の洗浄水の排出に伴って、タンク内の水位は低下していき、フロート８４の上端から所定距離だけ下側の位置にまで下がったところで、フロート８４に作用する浮力とフロート８４自体の重力とが釣り合った状態となり、フロート８４は水位の降下に従って小洗浄用の玉鎖７０に沿って下向きに移動して行く。このとき、空気チャンバ４８の内部の空気室５０は空気で満たされた状態にあり、空気チャンバ４８に対し浮力が作用しているため、フラッパ弁２２は依然として開弁状態に保持されたままである。
フロート８４は、ストッパ９０から離れて小洗浄用の玉鎖７０に沿って下方向へ移動し、カバー部材５９に当接することで、フロート８４がカバー部材５９を下向きに押す力が増大していき、この力が空気チャンバ４８に対する浮力に打ち勝つことで、フラッパ弁２２が閉弁していき、排水口２０からの洗浄水の放出が停止する。
【００３１】
一方、小洗浄のための動作においては、洗浄ハンドル９４を小洗浄側（大洗浄側とは逆側）に回転させると、小洗浄用の玉鎖７０が一定の距離だけ引き上げられ、フラッパ弁２２が閉弁した状態のまま、空気抜き弁５８がコイルばね６０の付勢力に抗して上向きに引き上げられて開弁する。この空気抜き弁５８の開弁により、空気室５０の上端の開口５７が開放状態となって、水流入口７２を通じ空気室５０にタンク１０内の水が流入して、空気室５０を水で埋める。また、空気抜き弁５８が、カバー部材５９に当接すると、小洗浄用の玉鎖７０による引上げ力が、カバー部材５９が取り付けられたフラッパ弁２２に及び、フラッパ弁２２が開弁する。このとき、フラッパ弁２２は、コイルばね６０の付勢力で空気抜き弁５８に対し相対的に上向き移動することで、空気抜き弁５８が閉弁状態となる。フラッパ弁２２が開弁状態となることで、タンク１０内の洗浄水が排水口２０から排出される。
タンク１０内の洗浄水の排出に伴って、タンク内の水位は低下していき、フロート８４に対する浮力とフロート８４に対して下向きに加わる力とが釣り合った状態となり、水位の低下とともにフロート８４が降下即ち下向きに移動し、これに伴ってフラッパ弁２２は徐々に下降し閉弁状態となる。なお、空気チャンバ４８に対して浮力は働いていないため、フロート８４はストッパ９０に当たった状態を維持したまま、即ちカバー部材５９との間に一定距離を開けた状態を維持したまま、水位の低下とともに下方向に移動していく。そのため、この小洗浄時においては、フラッパ弁２２が開弁してから閉弁開始するまでの時間が大洗浄時に較べて短い。
【００３２】
次に、図１〜図４により本発明の一実施形態によるカバーの取り付け構造について説明する。図４は図２のＩＶ−ＩＶ断面図である。
図２及び図３に示すように、カバー部材５９は、その外周壁に、側方へ向けて突出する突出部５９ａを有する。また、筒壁５６は、その内周壁に、開口５５から下方に延びた第１スリット５６ａと、第１スリット５６ａの下端から周方向に延びた第２スリット５６ｂとを有する。
【００３３】
突出部５９ａは、カバー部材５９の外表面から外側へ向けて突出しており、２つ設けられている。突出部５９ａは、カバー部材５９の周方向の大きさが上下方向の大きさよりも大きい帯状に形成され、側面視にて周方向の一端は円弧状、他端は直線状となっている。さらに、２つの突出部５９ａは、カバー部材５９の長手方向の中心軸を挟んで対称な位置になるよう配置されている。換言すると、２つの突出部５９ａは、カバー部材５９の周方向に沿って所定のピッチをもって配置されている。  第１スリット５６ａ、筒壁５６の側方（内表面から外表面）へ向けて凹んでおり、突出部５９ａの周方向の大きさよりも大きい幅を周方向にて備え、２つ形成されている。また、第２スリット５６ｂは、筒壁５６の内表面から外表面へ向けて凹んでおり、突出部５９ａの上下方向の大きさよりも大きい幅を周方向にて備え、２つ形成されている。
【００３４】
このような構成により、カバー部材５９（即ち、一体化された空気抜き弁５８）を筒壁５６に挿入する際は、突出部５９ａを第１スリット５６ａの上端から下方に向けて挿入した後、突出部５９ａをさらに第２スリット５６ｂに挿入し、カバー部材５９を回転する。従って、筒壁５６からカバー部材５９を取り外す際は、一度、周方向に回転させる必要があり、上下方向の移動のみでは取り外すことができない。
【００３５】
次に、図５により本発明の一実施形態による水洗大便器について説明する。図５は本発明の一実施形態による排出装置が設けられたタンク装置、及び、このタンク装置を備えた水洗大便器を示す部分側面断面図である。
図５に示すように、本発明の一実施形態に係る水洗大便器２００は、サイホン作用により汚物を押し流す、いわゆる、サイホン式の水洗大便器であり、床面Ｆに載置される陶器製の便器本体２を備え、この便器本体２の上部の前方側にはボウル部４が形成され、便器本体２の中央後方側の下方にはボウル部４と連通する排水トラップ管路８が形成されている。また、ボウル部４の上部にはボウル部４内部に向けて洗浄水を吐水して、ボウル部４の表面を洗浄する吐水部１１が設けられている。さらに、排水トラップ管路８の下流端には、排水トラップ管路８の下流端と建物躯体に設けられた床下排水配管１２とを連通する排水ソケット９が設けられている。
【００３６】
また、本実施形態における水洗大便器２００は、洗浄水源Ｓから給水弁５を介して供給された洗浄水を貯水するタンク１０を有したタンク装置１００を備える。タンク装置１００は、さらに排出装置１を有する。
なお、本実施形態においては、洗浄ハンドル９４への操作により排水口２０から吐水部１１に洗浄水が供給されるが、本発明はこのような形態に限定されるものではなく、例えば、リモコンのスイッチへの操作や、人体検知センサによる使用者の検知等の他の使用者の洗浄動作により吐水部へ洗浄水が供給されてもよい。
【００３７】
上述した本発明の一実施形態による排出装置１によれば、カバー部材５９は、その外表面に外側へ向けて突出する突出部５９ａを有し、筒壁５６は、その内表面に、上端部の開口５５から下方に延び突出部５９ａを挿入可能な上下方向の第１スリット５６ａと、第１スリット５６ａと接続され周方向に延びた第２スリット５６ｂとを有し、第２スリット５６ｂに突出部５９ａが挿入される。そのため、カバー部材５９に多大な変形を生じることなく容易に取り外すことができ、容易に空気抜き弁５８のシール部材６２等のメンテナンスや交換を行うことができる。
【００３８】
さらに、上述した本発明の一実施形態による排出装置１によれば、突出部５９ａ、第１スリット５６ａ及び第２スリット５６ｂは、２つずつ設けられており、カバー部材５９を取り外す必要がない際、より確実にカバー部材５９が取り付けられた状態を保持することができる。
【００３９】
また、上述した本発明の一実施形態による排出装置１によれば、突出部５９ａは、カバー部材５９の周方向に沿って所定のピッチをもって配置されている。そのため、カバー部材５９を取り外す必要がない際、より確実にカバー部材５９が取り付けられた状態を保持することができる。
【００４０】
なお、本実施形態においては、突出部５９ａを２つ設けているが、本発明はこのような形態に限定されるものではない。例えば、突出部を１つのみ設けてもよく、３つ以上設けてもよい。また、第１スリット及び第２スリットの数も、突出部の数に対応していればよく、突出部が１つであれば１つ、突出部が３つ以上であれば３つ設けてもよい。
さらに、２つの突出部５９ａは、カバー部材５９の長手方向の中心軸を挟んで対称な位置になるよう配置されているが、本発明はこのような形態に限定されるものではない。例えば、カバー部材５９の長手方向の中心軸を挟んで対称でない位置に２つの突出部を設けてもよいし、３つ以上の突出部を、カバー部材の周方向に沿って所定のピッチをもって配置してもよい。
【００４１】
なお、本実施形態においては、突出部５９ａをカバー部材５９の外表面に設け、第１スリット５６ａ及び第２スリット５６ｂを筒壁の内表面に設けたが、本発明はこのような形態に限定されるものではなく、例えば、突出部５９ａをカバー部材５９の内表面に設け、第１スリット５６ａ及び第２スリット５６ｂを筒壁の外表面に設ける構成としてもよい。また、突出部を筒壁の外表面又は内表面に設け、第１スリット及び第２スリットをカバーの内表面又は外表面に設ける構成としてもよい。例えば、図６により本発明の一実施形態による排出装置の変形例について説明する。図６は、本発明の一実施形態による排出装置の変形例を示す分解斜視図である。上述した本発明の一実施形態との相違点のみに限って説明する。
図６に示すように、この変形例においては、２つの突出部２５６ａを筒壁２５６の内表面に設け、第１スリット２５９ａ及び第２スリット２５９ｂをカバー部材２５９の外表面に設けている。
上述した本発明の一実施形態の変形例によれば、カバー部材２５９に多大な変形を生じることなく容易に取り外すことができ、容易に空気抜き弁５８のシール部材６２等のメンテナンスや交換を行うことができる。
【符号の説明】
【００４２】
１        排出装置
２        便器本体
４        ボウル部
５        給水弁
８        排水トラップ管路
９        排水ソケット
１０      タンク
１１      吐水部
１２      床下排水配管
２０      排水口
２２      フラッパ弁
２４      オーバーフロー管
２６      シール部材
２８      弁部
３０      アーム
３６      大洗浄用の玉鎖（引き上げ材）
４８      空気チャンバ
５０      空気室
５５      開口
５６      筒壁（筒部）
５６ａ    第１スリット
５６ｂ    第２スリット
５７      開口
５８      空気抜き弁
５９      カバー部材（カバー）
５９ａ    突出部
６０      コイルばね
６２      シール部材
６４      弁部
７０      小洗浄用の玉鎖（引き上げ材）
７２      水流入口
８４      フロート
９０      ストッパ
９２      レバーアーム（操作手段）
９４      洗浄ハンドル
１００    タンク装置
２００    水洗大便器
２５６    筒壁
２５６ａ  突出部
２５９    カバー部材
２５９ａ  第１スリット
２５９ｂ  第２スリット
【図１】
0006716089.tif 000002
【図２】
0006716089.tif 000003
【図３】
0006716089.tif 000004
【図４】
0006716089.tif 000005
【図５】
0006716089.tif 000006
【図６】
0006716089.tif 000007